(57)【要約】【課題】補助情報記録領域に記録された識別情報の読み取りが確実に行われる光ディスクを提供する。【解決手段】ディスク面の記録層が少なくとも主情報記録領域Ｄ１Ａと補助情報記録領域（ＢＣＡ）Ｄ１Ｃに区分されて、主情報記録領域Ｄ１Ａにグルーブが形成され、補助情報記録領域（ＢＣＡ）Ｄ１Ｃに識別情報を示すバーコード状のマークＭが形成されており、この補助情報記録領域（ＢＣＡ）Ｄ１Ｃの記録層に、主情報記録領域Ｄ１Ａに形成されたグルーブの深さよりも深さが浅いトラッキング用グルーブＧ１またはプリピットが形成されている。【選択図】図５
2007102984.tif 000002
【特許請求の範囲】
【請求項１】
ディスク面の記録層が少なくとも主情報記録領域と補助情報記録領域に区分されて、主情報記録領域にグルーブが形成され、補助情報記録領域に記録情報を示すマークが形成されている光ディスクにおいて、
前記補助情報記録領域の記録層に、主情報記録領域に形成されたグルーブの深さよりも深さが浅いグルーブまたはプリピットが形成されていることを特徴とする光ディスク。
【請求項２】
前記マークが、光ディスクの識別情報を示すバーコード状のマークである請求項１に記載の光ディスク。
【請求項３】
前記補助情報記録領域の記録層に形成されたグルーブまたはプリピットの深さが、光ディスクの記録再生用のレーザ光の波長が６６０ｎｍのときに、６５ｎｍ未満に設定されている請求項１に記載の光ディスク。
【請求項４】
前記補助情報記録領域の記録層に形成されたグルーブまたはプリピットの深さが、光ディスクの記録再生用のレーザ光の波長が４０５ｎｍのときに、４０ｎｍ未満に設定されている請求項１に記載の光ディスク。
【請求項５】
ディスク面の記録層が少なくとも主情報記録領域と補助情報記録領域に区分されて、主情報記録領域にグルーブが形成され、補助情報記録領域に記録情報を示すマークが形成されている光ディスクにおいて、
前記補助情報記録領域の記録層に、グルーブまたはプリピットが形成されていないことを特徴とする光ディスク。
【請求項６】
前記マークが、光ディスクの識別情報を示すバーコード状のマークである請求項５に記載の光ディスク。
【発明の詳細な説明】
【技術分野】
【０００１】
この発明は、補助情報記録領域を有する光ディスクの構成に関する。
【背景技術】
【０００２】
図１は、従来のＤＶＤ等の補助情報記録領域を備えた光ディスクの構成を示している。
【０００３】
この図１の光ディスクＤは、その記録面に、主情報記録領域ＤＡと、この主情報記録領域ＤＡの内周側に設けられた制御情報記録領域ＤＢと、この制御情報記録領域ＤＢのさらに内周側に設けられた補助情報記録領域ＤＣとを備えている。
【０００４】
この補助情報記録領域ＤＣは、ＢＣＡ（バースト・カッティング・エリア）と呼ばれ、光ディスクＤを一枚毎に識別するためのＩＤ番号などの識別情報が、製品の出荷時に、バーコード状のマークＭによって記録される。
【０００５】
そして、この補助情報記録領域（ＢＣＡ）ＤＣに記録された識別情報は、主情報記録領域ＤＡでの主情報や制御情報記録領域ＤＢでの制御情報の記録・再生を行うピックアップによってマークＭが検出されることによって、読み出される。
【０００６】
近年、この補助情報記録領域（ＢＣＡ）ＤＣに記録されたＩＤ番号などの識別情報をコピー・プロテクトを行うキーとして使用することが提案されている。
【０００７】
図２は、光ディスクＤの補助情報記録領域（ＢＣＡ）ＤＣの記録面の一部を拡大して示す部分拡大図である。
【０００８】
この図２において、識別情報を示すバーコード状のマークＭは、それぞれ半径方向に沿って延びている。
【０００９】
そして、この補助情報記録領域（ＢＣＡ）ＤＣには、主情報記録領域ＤＡおよび制御情報記録領域ＤＢと同様に、円周方向に沿って延びるトラッキング用グルーブＧが設けられている。
【００１０】
上記のような構成の従来の光ディスクＤにおいては、以下のような問題が発生する虞がある。
【００１１】
すなわち、従来の光ディスクＤの補助情報記録領域（ＢＣＡ）ＤＣには、主情報記録領域ＤＡや制御情報記録領域ＤＢと同じ溝が比較的深いトラッキング用グルーブＧが形成されているために、補助情報記録領域（ＢＣＡ）ＤＣから識別情報をトラッキング・オープンによって読み出す際に、レーザ光のトラッキング用グルーブＧとこのトラッキング用グルーブＧ間のランドからの戻り光による光の干渉が大きくなって、補助情報記録領域（ＢＣＡ）ＤＣから再生されるＲＦ信号が影響を受けるので、この補助情報記録領域（ＢＣＡ）ＤＣに記録されている識別情報を読み出すことが出来なくなる場合がある。
【００１２】
図３は、従来の光ディスクＤにおける補助情報記録領域（ＢＣＡ）ＤＣから読み出されたＲＦ信号の再生信号波形を示している。
【００１３】
この図３に示されるように、トラッキング用グルーブＧによる干渉が発生している部分Ａにおいては、例えばスライス・レベルＬが５０パーセントに設定されると、補助情報記録領域（ＢＣＡ）ＤＣからのＲＦ信号を検出できない部分Ｂが生じてしまう。
【００１４】
このような場合には、補助情報記録領域（ＢＣＡ）ＤＣに記録された識別情報がコピー・プロテクトのキーとして確実に機能しなくなってしまう虞がある。
【発明の開示】
【発明が解決しようとする課題】
【００１５】
この発明は、上記のような従来の光ディスクが有している問題点を解決することをその技術的課題の一つとしている。
【課題を解決するための手段】
【００１６】
第１の発明（請求項１に記載の発明）による光ディスクは、上記目的を達成するために、ディスク面の記録層が少なくとも主情報記録領域と補助情報記録領域に区分されて、主情報記録領域にグルーブが形成され、補助情報記録領域に記録情報を示すマークが形成されている光ディスクにおいて、前記補助情報記録領域の記録層に、主情報記録領域に形成されたグルーブの深さよりも深さが浅いグルーブまたはプリピットが形成されていることを特徴としている。
【００１７】
第２の発明（請求項５に記載の発明）による光ディスクは、前記目的を達成するために、ディスク面の記録層が少なくとも主情報記録領域と補助情報記録領域に区分されて、主情報記録領域にグルーブが形成され、補助情報記録領域に記録情報を示すマークが形成されている光ディスクにおいて、前記補助情報記録領域の記録層に、グルーブまたはプリピットが形成されていないことを特徴としている。
【発明を実施するための最良の形態】
【００１８】
この発明は、ディスク面の記録層が少なくとも主情報記録領域と補助情報記録領域に区分されて、主情報記録領域にグルーブが形成され、補助情報記録領域に例えば光ディスクのＩＤ番号等の識別情報等の記録情報を示すマークが形成されている光ディスクにおいて、補助情報記録領域の記録層に、主情報記録領域に形成されたグルーブの深さよりも深さが浅いグルーブまたはプリピットが形成されているか、または、補助情報記録領域の記録層にグルーブまたはプリピットが形成されていない光ディスクをその最良の実施形態としている。
【００１９】
この実施形態による光ディスクは、補助情報記録領域に形成される例えばトラッキング用のグルーブまたはプリピットの深さが、主情報記録領域に形成されているトラッキング用グルーブやプリピットの深さよりも浅くなっていたり、または、この補助情報記録領域にトラッキング用等のグルーブやプリピットが形成されていないことによって、補助情報記録領域におけるグルーブとランドの干渉等によるトラッキング・オープン時の再生ＲＦ信号への影響が軽減されるか、または、無くなることによって、この補助情報記録領域に記録された記録情報を確実に読み取ることが出来るようになる。
【００２０】
そして、これによって、例えば、補助情報記録領域に記録された識別情報がコピー・プロテクトのキーとして使用されるような場合でも、このコピー・プロテクト機能が確実に作動するようになる。
【００２１】
上記の実施形態において、記録情報を示すマークが、光ディスクの識別情報を示すバーコード状のマークである場合には、例えば、アゾ系の色素記録材料によって形成された記録層のバーコード状のマークが形成されている部分とバーコード状のマークが形成されていない部分との反射率反射率の差によって、マークによって記録された識別情報が読み取られる。
【００２２】
さらに、上記の実施形態において、例えばＤＶＤのように、光ディスクの記録再生用に波長が６６０ｎｍのレーザ光が使用される場合には、補助情報記録領域の記録層に形成されたグルーブまたはプリピットの深さが６５ｎｍ未満に設定されることによって、補助情報記録領域に記録された識別情報の読み取りを確実に行うことが出来るようになる。
【００２３】
また、上記の実施形態において、例えばＤＶＤのように、光ディスクの記録再生用に波長が４０５ｎｍのレーザ光が使用される場合には、補助情報記録領域の記録層に形成されたグルーブまたはプリピットの深さが４０ｎｍ未満に設定されることによって、補助情報記録領域に記録された識別情報の読み取りを確実に行うことが出来るようになる。
【実施例】
【００２４】
図４および５は、この発明による光ディスクの実施形態における一実施例を示しており、図４はこの実施例における光ディスクの記録面を示す平面図であり、図５は同実施例の補助情報記録領域（ＢＣＡ）の記録面の部分拡大図である。
【００２５】
図４において、光ディスクＤ１の記録面には、従来の光ディスクと同様に、主情報記録領域Ｄ１Ａと、この主情報記録領域Ｄ１Ａの内周側に設けられた制御情報記録領域Ｄ１Ｂと、この制御情報記録領域Ｄ１Ｂのさらに内周側に設けられた補助情報記録領域（ＢＣＡ）Ｄ１Ｃとを備えている。
【００２６】
補助情報記録領域Ｄ１Ｃには、図５に示されるように、従来の光ディスクと同様に、光ディスクＤ１を一枚毎に識別するためのＩＤ番号などの識別情報が、製品の出荷時に、複数のトラックに跨って半径方向に沿って延びるバーコード状のマークＭによって記録されている。
【００２７】
例えば、アゾ系の色素記録材料によって形成された記録層を有する追記型の光ディスクの場合には、工場出荷時に、記録装置などによって、ディスク一枚毎に異なるＩＤ番号等を示す情報が、バーコード状のマークＭによって補助情報記録領域（ＢＣＡ）Ｄ１Ｃの記録層に記録される。
【００２８】
記録装置は、主情報記録領域Ｄ１Ａと制御情報記録領域Ｄ１Ｂの記録層が成膜された後、補助情報記録領域（ＢＣＡ）Ｄ１Ｃの記録層に、光ディスクＤ１の回転に同期してレーザ光を照射することにより、この補助情報記録領域（ＢＣＡ）Ｄ１Ｃの記録層にＩＤ番号等の識別情報を示すバーコード状のマークＭを形成する。
【００２９】
このとき、補助情報記録領域（ＢＣＡ）Ｄ１Ｃの記録層のマークＭの形成部分が低反射率状態になり、マークＭが形成されていない部分（マークＭの間の部分）では高反射率状態のままになり、主情報記録領域Ｄ１Ａと制御情報記録領域Ｄ１Ｂの記録再生時に、ピックアップによって、反射率の差を利用して、マークＭによって記録された識別情報が読み取られる。
【００３０】
補助情報記録領域（ＢＣＡ）Ｄ１Ｃには、さらに、円周方向に延びる複数トラッキング用グルーブＧ１が形成されている。
【００３１】
この補助情報記録領域Ｄ１Ｃのトラッキング用グルーブＧ１は、その溝の深さが、主情報記録領域Ｄ１Ａや制御情報記録領域Ｄ１Ｂに形成されている図示しないトラッキング用グルーブの溝の深さよりも浅くなるように形成されている。
【００３２】
ここで、グルーブが形成されたディスクからトラッキング・オフの状態で検出されたＲＦ信号のレベル（トラック方向に２分割されたディテクタの和信号のレベル）には、ＲＣ（ラジアル・コントラスト信号）偏心により、グルーブとグルーブ間のランドの影響によって明暗が生じて、これが、補助情報記録領域Ｄ１Ｃからの識別情報の読み取りに影響を与える。
【００３３】
トラッキング用グルーブＧ１による干渉の影響を軽減するには、ＲＣは０．３未満であることが望ましい。
【００３４】
ＤＶＤ−Ｒディスクの場合、主情報記録領域Ｄ１Ａおよび制御情報記録領域Ｄ１Ｂにおけるトラッキング用グルーブの深さは１７０ｎｍ程度であり、記録再生用レーザ光の波長λが６６０ｎｍであり、基板の屈折率ｎが１．６であるとすると、ＲＣが０．３未満になるためには、トラッキング用グルーブＧ１の深さｄは、６５ｎｍ未満であることが好ましい。
【００３５】
ＢＤ−Ｒディスクの場合、主情報記録領域Ｄ１Ａおよび制御情報記録領域Ｄ１Ｂにおけるトラッキング用グルーブの深さｄ１は、４０ｎｍ＜ｄ１＜５０ｎｍ程度であり、記録再生用レーザ光の波長λが４０５ｎｍであり、基板の屈折率ｎが１．６であるとすると、ＲＣが０．３未満になるためには、トラッキング用グルーブＧ１の深さｄは、４０ｎｍ未満であることが好ましい。
【００３６】
ＲＣは、以下の式で近似される。
【００３７】
ＲＣ＝｜ｃｏｓ（４πｎｄ/λ）・ｓｉｎ（２πｎｄ/λ）｜
この計算式から、ＲＣ＜０．３となるためには、
λ＝６６０ｎｍのとき（ＤＶＤの場合）、ｄ＜６５ｎｍ
λ＝４０５ｎｍのとき（ＢＤの場合）、ｄ＜４０ｎｍ
が条件となることが求められる。
【００３８】
なお、上記の結果は、光ディスクＤ１のディスク面に色素がコートされていない状態におけるもので、ディスク面に色素がコートされている状態では、トラッキング用グルーブＧ１の深さｄはさらに小さい値になる。
【００３９】
図６は、上記ＲＣの計算式において、波長λ＝４０５ｎｍの記録再生用のレーザ光を用いた場合のＲＣとトラッキング用グルーブＧ１の深さｄの値との関係を示すグラフであり、図中、グラフａがＲＣの振幅を示し、グラフｂが、トラック方向に２分割されたディテクタの差信号のレベルを示すＰＰ（プッシュプル信号）の振幅を、それぞれ色素なしの計算値に基づいて示している。
【００４０】
また、この図６において、ＲＣは、（＋）側がグルーブ明の状態、（−）側がグルーブ暗の状態を示している。
【００４１】
この図６から、ＲＣの絶対値が０．３未満となるためには、補助情報記録領域（ＢＣＡ）Ｄ１Ｃにおけるトラッキング用グルーブＧ１の深さが４０ｎｍ未満であることが条件になることが分かる。
【００４２】
なお、上記のように、トラッキング用グルーブＧ１による干渉を軽減して補助情報記録領域（ＢＣＡ）Ｄ１Ｃからの識別情報の検出（マークＭの読み取り）が確実に行われるようにするためには、トラッキング用グルーブＧ１の深さが、それぞれ、レーザ光の波長λ＝６６０ｎｍのとき（ＤＶＤの場合）に６５ｎｍ未満，λ＝４０５ｎｍのとき（ＢＤの場合）に４０ｎｍ未満であれば良いので、図７に示されるように、補助情報記録領域（ＢＣＡ）Ｄ１Ｃに、マーク７のみを形成して、トラッキング用グルーブを形成しないようにしても良い。
【００４３】
図８は、補助情報記録領域（ＢＣＡ）Ｄ１Ｃにトラッキング用グルーブが形成されていない場合におけるＲＦ信号の再生信号波形を示している。
【００４４】
この図８から、補助情報記録領域（ＢＣＡ）Ｄ１Ｃにトラッキング用グルーブが形成されていない場合には、補助情報記録領域（ＢＣＡ）Ｄ１Ｃからの識別信号の読み取りが確実に行われることが分かる。
【００４５】
また、上記においては、補助情報記録領域（ＢＣＡ）Ｄ１Ｃにトラッキング用グルーブが設けられる場合について説明を行ったが、補助情報記録領域（ＢＣＡ）Ｄ１Ｃにトラッキング用またはアドレス用のプリピットが形成される場合も同様であり、この場合には、補助情報記録領域（ＢＣＡ）Ｄ１Ｃのプリピットを、その深さが主情報記録領域Ｄ１Ａおよび制御情報記録領域Ｄ１Ｂに形成されているグルーブまたはプリピットの深さよりも浅くなるように（例えば、記録再生用のレーザ光の波長λ＝６６０ｎｍのとき６５ｎｍ未満，λ＝４０５ｎｍのとき４０ｎｍ未満になるように）形成したり、または、補助情報記録領域（ＢＣＡ）Ｄ１Ｃにプリピットを形成しないようにしてもよい。
【００４６】
以上のように上記光ディスクは、補助情報記録領域（ＢＣＡ）Ｄ１Ｃに形成されるトラッキング用グルーブＧ１またはプリピットの深さを主情報記録領域Ｄ１Ａおよび制御情報記録領域Ｄ１Ｂに形成されているトラッキング用グルーブまたはプリピットの深さよりも浅くなるようにしたり、または、補助情報記録領域（ＢＣＡ）Ｄ１Ｃにトラッキング用グルーブＧ１およびプリピットを形成しないようにすることによって、補助情報記録領域（ＢＣＡ）Ｄ１Ｃにおけるグルーブとランドの干渉等によるトラッキング・オープン時の再生ＲＦ信号への影響を軽減または無くすことによって、この補助情報記録領域（ＢＣＡ）Ｄ１Ｃに記録された識別情報の読み取りを確実に行うことが出来るようになる。
【００４７】
そして、この補助情報記録領域（ＢＣＡ）Ｄ１Ｃに記録された識別情報の読み取りが確実に行われるようになることによって、例えば、補助情報記録領域（ＢＣＡ）ＤＣに記録された識別情報がコピー・プロテクトのキーとして使用されるような場合にも、確実に機能が果たされるようになる。
【００４８】
なお、上記の光ディスクは、記録型，追記型，再生専用型の光ディスク、具体的にはＤＶＤ，ＤＶＤ−Ｒ，ＤＶＤ−ＲＷ，ＢＤ，ＢＤ−Ｒ，ＢＤ−ＲＥ等の補助情報記録領域（ＢＣＡ）を有する光ディスクの何れにも適用が可能である。
【００４９】
上記実施例における光ディスクは、ディスク面の記録層が少なくとも主情報記録領域と補助情報記録領域に区分されて、主情報記録領域にグルーブが形成され、補助情報記録領域に例えば光ディスクのＩＤ番号等の識別情報等の記録情報を示すマークが形成されている光ディスクにおいて、補助情報記録領域の記録層に、主情報記録領域に形成されたグルーブの深さよりも深さが浅いグルーブまたはプリピットが形成されているか、または、補助情報記録領域の記録層にグルーブまたはプリピットが形成されていない実施形態の光ディスクをその上位概念の実施形態としている。
【００５０】
この上位概念を構成する実施形態による光ディスクは、補助情報記録領域に形成される例えばトラッキング用のグルーブまたはプリピットの深さが、主情報記録領域に形成されている例えばトラッキング用グルーブやプリピットの深さよりも浅くなっていたり、または、この補助情報記録領域にトラッキング用等のグルーブやプリピットが形成されていないことによって、補助情報記録領域におけるグルーブとランドの干渉等によるトラッキング・オープン時の再生ＲＦ信号への影響が軽減または無くなることによって、この補助情報記録領域に記録された記録情報の読み取りが確実に行われるようになる。
【００５１】
そして、これによって、例えば、補助情報記録領域に記録された識別情報がコピー・プロテクトのキーとして使用されるような場合でも、このコピー・プロテクト機能が確実に作動するようになる。
【図面の簡単な説明】
【００５２】
【図１】従来の光ディスクを示す平面図である。
【図２】従来の光ディスクの補助情報記録領域を示す部分拡大図である。
【図３】従来の光ディスクにおけるＲＦ信号の再生信号波形を示すグラフである。
【図４】この発明の実施例における光ディスクを示す平面図である。
【図５】同実施例の光ディスクの補助情報記録領域を示す部分拡大図である。
【図６】光ディスクにおけるＲＣとグルーブの深さの関係を示すグラフである。
【図７】同実施例の光ディスクの変形例における補助情報記録領域を示す部分拡大図である。
【図８】同変形例の光ディスクにおけるＲＦ信号の再生信号波形を示すグラフである。
【符号の説明】
【００５３】
Ｄ１            …光ディスク
Ｄ１Ａ          …主情報記録領域
Ｄ１Ｂ          …制御情報記録領域
Ｄ１Ｃ          …補助情報記録領域
Ｇ１            …トラッキング用グルーブ（グルーブ）
Ｍ              …マーク
【図１】
2007102984.tif 000003
【図２】
2007102984.tif 000004
【図３】
2007102984.tif 000005
【図４】
2007102984.tif 000006
【図５】
2007102984.tif 000007
【図６】
2007102984.tif 000008
【図７】
2007102984.tif 000009
【図８】
2007102984.tif 000010